(57)【要約】      （修正有）【課題】昇降路内温度変化に伴ったケーブル伸長時におけるケーブルの弛みを押さえ、もって、ケーブルと昇降路内機器又は乗りかごとの干渉の防止、地震発生時等におけるケーブル暴れの防止、及び、展望用エレベータ等における美観の向上を図ることができ、加えて、昇降路内温度変化に伴ったケーブルの収縮時においてはケーブルに掛かる引張応力を軽減し、もって、ケーブル芯線の断線を防止することができるエレベーター昇降路内配線装置を得る。【解決手段】エレベーター昇降路内配線装置において、昇降路内の固定部分に据付されたケーブル固定金３と、前記ケーブル固定金にケーブル６長手方向に摺動自在な取付手段４を介して取付されたケーブルを把持する把持手段５と、前記把持手段に復元力を付与する復元力付与手段１１と、を備え、前記ケーブルは前記昇降路内の鉛直方向に沿って布設された構成とする。【選択図】図５
2008174332.tif 000002
【特許請求の範囲】
【請求項１】
昇降路内の固定部分に据付されたケーブル固定金と、前記ケーブル固定金にケーブル長手方向に摺動自在な取付手段を介して取付されたケーブルを把持する把持手段と、前記把持手段に復元力を付与する復元力付与手段と、を備え、前記ケーブルは前記昇降路内の鉛直方向に沿って布設されたことを特徴とするエレベーター昇降路内配線装置。
【請求項２】
前記復元力付与手段は、前記ケーブル固定金の前記把持手段より鉛直下方に配置されたことを特徴とする請求項１に記載のエレベーター昇降路内配線装置。
【請求項３】
前記ケーブル長手方向に摺動自在な取付手段は、前記ケーブル固定金に穿設されたケーブル長手方向に長径を持つ長円形の第１の取付孔と、前記第１の取付孔に挿通して前記ケーブル固定金に前記把持手段を取付する第１の取付ボルトと、を備えたことを特徴とする請求項１又は請求項２のいずれかに記載のエレベーター昇降路内配線装置。
【請求項４】
前記把持手段は、略コの字型のケーブルクリートと、前記ケーブルクリートの端部に設けられる掛合爪と、前記掛合爪に対応する掛合部を備えたクリート取付金と、を備えたことを特徴とする請求項１から請求項３のいずれかに記載のエレベーター昇降路内配線装置。
【請求項５】
前記復元力付与手段は、前記ケーブル固定金の一端を折曲してなるフランジと、前記フランジに穿設された第２の取付孔と、バネと、前記バネを貫通した上で、前記第２の取付孔に挿通して前記把持手段に接続される第２の取付ボルトと、を備えたことを特徴とする請求項１から請求項４のいずれかに記載のエレベーター昇降路内配線装置。
【発明の詳細な説明】
【技術分野】
【０００１】
この発明は、エレベーター昇降路内配線装置に関するものである。
【背景技術】
【０００２】
従来におけるエレベーター昇降路内配線装置においては、乗りかごを案内するガイドレールに装着され、ガイドレールの左右方向に突出する突出部を有するブラケット（ケーブル固定金）と、このブラケットの突出部にケーブルを固定する、ケーブル押さえ及びボルトからなる固定手段とを備えたものが知られている（例えば、特許文献１参照）。
また、例えば特許文献２に示すように、略Ｚ字型の断面を持つ配線金具を用いて、複数本のケーブルを緊縛、抱持することにより布設するものも知られている。
【０００３】
【特許文献１】特開平９−１８８４８７号公報
【特許文献２】特開２００３−３４１９５６号公報
【発明の開示】
【発明が解決しようとする課題】
【０００４】
従来におけるエレベーター昇降路内配線装置においては、ケーブルの長手方向に間隔をおいて設けられるケーブル把持手段は、ケーブル押さえ等を用いてケーブルがブラケット（ケーブル固定金）に対し動かないように固定される構造となっているため、昇降路内の温度が上がり熱膨張によりケーブルが伸長した場合、ケーブル取付部間でケーブルの弛みが発生する。このケーブルの弛みに起因して、ケーブルと他の昇降路内機器や乗りかごとの干渉や、地震発生時等におけるケーブル暴れとそれに伴う他の昇降路機器との接触及び損傷の危惧があるという課題がある。そして、ケーブルを外部から見ることのできる展望用エレベータ等においては、弛んだケーブルが見えることにより美観を損ねるという課題もある。
また、逆に昇降路内の温度が下がりケーブルが収縮した場合、ケーブル取付部間に引張応力が発生し、ケーブル芯線が断線してしまう恐れがあるという課題がある。
以上に関しては、近年のビル高層化に伴い、昇降路内に配線されるケーブルの長さも長くなる傾向にあり、これに呼応して熱膨張に伴うケーブルの伸長量又は収縮量も増加するため、ますます前記の課題が表面化し易くなる可能性も指摘できる。
【０００５】
この発明は、前述のような課題を解決するためになされたもので、第１の目的は、昇降路内温度変化に伴ったケーブル伸長時におけるケーブルの弛みを押さえ、もって、ケーブルと昇降路内機器又は乗りかごとの干渉の防止、地震発生時等におけるケーブル暴れの防止、及び、展望用エレベータ等における美観の向上を図ることができるエレベーター昇降路内配線装置を得るものである。
また、第２の目的は、昇降路内温度変化に伴ったケーブルの収縮時においてケーブルに掛かる引張応力を軽減し、もって、ケーブル芯線の断線を防止することができるエレベーター昇降路内配線装置を得るものである。
【課題を解決するための手段】
【０００６】
この発明に係る、エレベーター昇降路内配線装置においては、昇降路内の固定部分に据付されたケーブル固定金と、前記ケーブル固定金にケーブル長手方向に摺動自在な取付手段を介して取付されたケーブルを把持する把持手段と、前記把持手段に復元力を付与する復元力付与手段と、を備え、前記ケーブルは前記昇降路内の鉛直方向に沿って布設された構成とする。
【発明の効果】
【０００７】
この発明はエレベーター昇降路内配線装置に関し、昇降路内の固定部分に据付されたケーブル固定金と、前記ケーブル固定金にケーブル長手方向に摺動自在な取付手段を介して取付されたケーブルを把持する把持手段と、前記把持手段に復元力を付与する復元力付与手段と、を備え、前記ケーブルは前記昇降路内の鉛直方向に沿って布設された構成としたことで、昇降路内温度変化に伴ったケーブル伸長時におけるケーブルの弛みを押さえ、もって、ケーブルと昇降路内機器又は乗りかごとの干渉の防止、地震発生時等におけるケーブル暴れの防止、及び、展望用エレベータ等における美観の向上を図ることができるという効果を奏する。
また、昇降路内温度変化に伴ったケーブルの収縮時においてケーブルに掛かる引張応力を軽減し、もって、ケーブル芯線の断線を防止することができるという効果も合わせ奏する。
特に、高層化したビル等に据付される長い全長を持つ昇降路内において行うケーブル取付に対して、優れた効果を発揮する。
【発明を実施するための最良の形態】
【０００８】
実施の形態１．
図１から図８は、この発明の実施の形態１を示すもので、図１はレールに取付したエレベーター昇降路内配線の正面図、図２は図１中断面Ａ−Ａ’で切断した断面図、図３はケーブル取付部の要部拡大正面図、図４はケーブル取付部の要部拡大平面図、図５はケーブル取付部の要部拡大側面図、図６はケーブル伸長時におけるケーブル取付部の要部拡大側面図、図７はケーブル収縮時におけるケーブル取付部の要部拡大側面図、図８はこの発明を用いたケーブル設置例の斜視図である。なお、以上において図８中の１点鎖線部Ｂを拡大したものが図１に対応しており、また、各図中、同符号は同一部分もしくは相当部分を示している。
【０００９】
図において１は昇降路内に立設され、乗りかご（図示せず）を昇降自在に案内するレールであり、前記レール１には、レールクリップ２を介してケーブル固定金３が水平方向の一方へと突出して取付される。前記ケーブル固定金３は鉛直部分と、この鉛直部分の下端が直角に折曲されて成る水平部分（フランジ３ａ）とから成り、前記鉛直部分には鉛直方向に長径をもつ長円形の第１の取付孔３ｂが、また、前記水平部分（フランジ３ａ）には略円形の第２の取付孔３ｃがそれぞれ穿設されている。
４は側面視略コの字型のクリート取付金、５は平面視略コの字型のケーブルクリートで、前記クリート取付金４の正面開口部端に設けられた掛合部４ａに前記ケーブルクリート５の端部に設けられた掛合爪５ａを掛合させることにより、前記クリート取付金４に前記ケーブルクリート５が取付される。
こうして前記クリート取付金４と前記ケーブルクリート５との間に形成された間隙には、昇降路内の鉛直方向に沿って布設されるケーブル６が挿通されており、このケーブル６の反クリート取付金４側から、一側面に把持溝を有する押圧片７及び押圧ボルト８によりクリート取付金４側へと押圧することにより、前記ケーブル６は把持固定されている。なお、前記クリート取付金４と前記ケーブル６の間にはケーブル保護材９が挟入され前記ケーブル６の損傷等を防いでいる。
前記のようにして前記ケーブル６を前記ケーブルクリート５とにより把持した前記クリート取付金４は、前記第１の取付孔３ｂを前記ケーブル固定金３の背面から挿通した第１の取付ボルト１０を取付けた上で、前記第２の取付孔３ｃを前記フランジ３ａの下方から挿通した第２の取付ボルト１２及びバネ１１を貫通させて組立てることにより、前記ケーブル固定金３に鉛直方向摺動自在に取付される。この際、前記バネ１１が弾性的に付勢又は消勢されることにより、前記クリート取付金４に適度な位置復元力を付与するよう調節される。
【００１０】
以上のように構成されたエレベーター昇降路内配線装置においては、昇降路内温度変化に伴い前記ケーブル６が伸長した場合、前記ケーブル固定金３に鉛直方向摺動自在に取付された前記クリート取付金４及び前記ケーブルクリート５とから成るケーブル把持手段が、前記ケーブル６の伸長寸法に応じて再配置されると共に、前記バネ１１の復元力の作用により前記ケーブル６には適正な緊張が与えられることによってケーブルの弛みを押さえるため、ケーブルと昇降路内機器又は乗りかごとの干渉の防止、地震発生時等におけるケーブル暴れの防止、及び、展望用エレベータ等における美観の向上を図ることができる。
また、逆に昇降路内温度変化に伴ったケーブルの収縮時にも、前記ケーブル固定金３に鉛直方向摺動自在に取付された前記クリート取付金４及び前記ケーブルクリート５とから成るケーブル把持手段が、前記ケーブル６の収縮寸法に応じて再配置されると共に、前記バネ１１が弾性的に付勢又は消勢することにより、ケーブルに掛かる引張応力を軽減するため、ケーブル芯線の断線を防止することができる。
以上については、特に、高層化したビル等に据付される長い全長を持つ昇降路内において行うケーブル取付に対して、優れた効果を発揮する。
【図面の簡単な説明】
【００１１】
【図１】この発明の実施の形態１を示すレールに取付したエレベーター昇降路内配線の正面図である。
【図２】この発明の実施の形態１を示す図１中断面Ａ−Ａ’で切断した断面図である。
【図３】この発明の実施の形態１を示すケーブル取付部の要部拡大正面図である。
【図４】この発明の実施の形態１を示すケーブル取付部の要部拡大平面図である。
【図５】この発明の実施の形態１を示すケーブル取付部の要部拡大側面図である。
【図６】この発明の実施の形態１を示すケーブル伸長時におけるケーブル取付部の要部拡大側面図である。
【図７】この発明の実施の形態１を示すケーブル収縮時におけるケーブル取付部の要部拡大側面図である。
【図８】この発明の実施の形態１を示すケーブル設置例の斜視図である。
【符号の説明】
【００１２】
１    レール
２    レールクリップ
３    ケーブル固定金
３ａ  フランジ
３ｂ  第１の取付孔
３ｃ  第２の取付孔
４    クリート取付金
４ａ  掛合部
５    ケーブルクリート
５ａ  掛合爪
６    ケーブル
７    押圧片
８    押圧ボルト
９    ケーブル保護材
１０    第１の取付ボルト
１１    バネ
１２    第２の取付ボルト
【図１】
2008174332.tif 000003
【図２】
2008174332.tif 000004
【図３】
2008174332.tif 000005
【図４】
2008174332.tif 000006
【図５】
2008174332.tif 000007
【図６】
2008174332.tif 000008
【図７】
2008174332.tif 000009
【図８】
2008174332.tif 000010